(57)【要約】【課題】  一般的なデータ破壊問題の処理に対し、簡単な操作と低コストで、効率的にデータを破壊することができる、光ディスク記録データの破壊方法の提供するものである。【解決手段】  マイクロ波の選択的作用特性を利用し、エネルギーを集中させて光ディスクの金属反射層を破壊し、金属反射層がエネルギーを吸収したことにより破損し、データは信号が認識されないため読取ることが不可能となり、データ破壊の目的を達するようにする。【特許請求の範囲】
【請求項１】
光ディスクをマイクロ波環境内に置き、マイクロ波を光ディスク上に作用させ、光ディスクの反射層を破壊し、そのデータを破壊し読取り不能にする、光ディスク記録データの破壊方法。
【請求項２】
マイクロ波による光ディスク記録データの破壊方法であって、読み出し専用型の音CD、CD-ROM、Video-CD、CD-I、DVD-Video、DVD-ROM、追記型CD-R、WORM、DVD-RAM、書き換え型CD-RW(重複書き換え可能の光ディスク)、MO(光磁気ディスク機)、MD(ミニ光ディスク)、DVD-RW等の金属層を備えた光学記録媒体に対し適用が可能である、請求項１に記載の光ディスク記録データの破壊方法。
【請求項３】
光ディスクをマイクロ波環境内に置く方法が、ロット式、半連続式または連続式のいずれかである、請求項１に記載の光ディスク記録データの破壊方法。
【請求項４】
前記マイクロ波に、別に周波数がマイクロ波周波数の範囲内である電磁波を用いることができる、請求項１に記載の光ディスク記録データの破壊方法。
【発明の詳細な説明】
【技術分野】
【０００１】
本発明は、光ディスク記録データの破壊方法に関し、特に、マイクロ波を利用し、光ディスクに記録されたデータを完全且つ迅速に破壊処理すると共に、秘密を保持でき、簡単且つ大量に実施することが可能な、低コストの光ディスク記録データの破壊方法に関する。              
【背景技術】
【０００２】
光ディスクの製造過程において発生した損傷品や不良品、在庫品、海賊版、或いは内容データを予め破壊する必要がある場合、その光ディスクの記録内容の外部への漏洩を防止すると共に、内容破壊後の廃棄に便利でなければならないことを前提として、現在一般的には、穴あけや集めて圧砕する等の機械力による方法で、光ディスク全体を破壊し、光ディスク内のデータを破壊する方法が用いられている。しかし、穴あけ方式ではデータの外部漏洩の可能性があり、また、穴あけまたは圧砕のどちらをとっても、PC片製品といった、後続のプラスチックディスク資源回収作業に不利であり、特に、ディスク全体を回收し、再度光ディスクの基板としてリサイクルしたくとも不可能であり、比較的経済価値の低いプラスチックとしてのみリサイクルが可能であり、その光学特性を応用することができずにいる。
【０００３】
前述の問題に対し、国内外の特許公報または関連資料によれば、改善方法が提出されている。例えば、米国特許US 5306349号及びUS 6066229号は、化学溶剤で前処理を行い、さらに超音波振動により基材と薄膜を分離する方法である。このほか、米国特許US 5619898号と台湾特許公告第464595号の「光ディスクの廃棄処理方法及びその装置と光ディスク」は、すべて機械外力を用いて被覆している薄膜材料層を削り取る方法であり、また、公告第443949号の「記録可能光ディスク片(CD-R)のリサイクル方法」は、光ディスクを細かく粉砕し、溶剤を用いて各種材料を分離し、再利用する方法である。
【０００４】
しかし、上述の各種方法では、科学薬品を使用するものは、後続の廃棄液の再生と排出に伴う汚染が問題となりがちであり、また、機械を用いる方法は、基材に傷がつき易く、全体を回収して光ディスクの基材として再利用することができないという欠点がある。さらに、前述の関連設備と方法は、リサイクルに対しての考案であり、データ破壊のみを目的とする場合、その関連設備は高価で大きく、操作も難しいため、使用上不便で時間がかかり、複雑であり、さらに、光ディスク内に記録されたデータを迅速且つ完全に破壊することが困難であるという、最大の欠点がある。
【特許文献１】米国特許ＵＳ5306349号
【特許文献２】米国特許ＵＳ6066229号
【特許文献３】米国特許ＵＳ5619898号
【特許文献４】台湾特許公告第464595号
【特許文献５】台湾特許公告第443949号
【０００５】
このほか、化学溶液による処理を経たポリカーボネート樹脂基材は、影響を受け易い材質のため、高価な光学用途に用いることができず、さらにはその機械的性質も影響を受け、再利用の価値が低下してしまうだけでなく、溶剤の廃液処理もまた見落とすことのできない問題である。
【発明の開示】
【発明が解決しようとする課題】
【０００６】
本発明の目的は、リサイクル問題に対してではなく、特に、前述の状況に鑑みて、一般的なデータ破壊問題の処理に対し、簡単な操作と低コストで、効率的にデータを破壊することができる、光ディスク記録データの破壊方法を提供するものである。
【課題を解決するための手段】
【０００７】
本発明の光ディスク記録データの破壊方法は、マイクロ波の選択的作用特性を利用し、エネルギーを集中させて光ディスクの金属反射層を破壊し、金属反射層がエネルギーを吸収したことにより破損し、データは信号が認識されないため読取ることが不可能となり、データ破壊の目的を達する。
【発明の効果】
【０００８】
本発明の処理方法によれば、簡単な操作と低コストで、効率的にデータを破壊することができ、且つ、後続の回収処理に便利であり、安全で確実且つ低コストという利点が得られる。          
【発明を実施するための最良の形態】
【０００９】
以下、本発明の光ディスク記録データの破壊処理方法及びその方法の実施に適した装置について、具体的な実施例を説明する。
【００１０】
本発明の光ディスク記録データの破壊処理方法により、光ディスクの破壊を行なうとき、まず光ディスクを電子レンジの中に入れ、周波数 2450MHZ、出力350Wでマイクロ波を5秒間作用させると、光ディスクの反射層と染料層の部分を分離させることができ、且つ、分離していない部分の反射層も径方向に裂紋が発生し、完全且つ迅速にデータの破壊を行なうことができる。
【００１１】
前述のマイクロ波を作用させる方法でデータ破壊を実施することができる光ディスクは、読み出し専用型の音楽CDや、CD-ROM、Video-CD、CD-I、DVD-Video、DVD-ROM、追記型CD-R、WORM、DVD-RAM、書き換え型CD-RW(重複書き換え可能の光ディスク)、MO(光磁気ディスク機)、MD(ミニ光ディスク)、DVD-RW等の種類を含み、これらの光ディスクは皆レーザ光を反射させるために必要な金属反射層を備えており、この金属層の薄膜形体は、マイクロ波環境において、容易にマイクロ波の作用を受け破壊されるため、データを読み取ることができなくなり、複製も不可能となるため、金属反射層を備えた光学記録媒体すべてに本発明の破壊方法を適用することができる。
【００１２】
また、光ディスクをマイクロ波環境内に置く方式については、複数の光ディスクを同時にマイクロ波環境に入れるロット式、複数の光ディスクを輸送ベルトでマイクロ波環境へ送り、一定時間処理を行ない取り出す半連続式、または、光ディスクを輸送ベルトにより一枚ずつマイクロ波環境へ送り、進行を持続しながら処理後連続して送り出す連続式などがあり、すべて破壊の目的を達することができる。
【００１３】
このほか、周波数がマイクロ波の範囲内である電磁波を用いても、反射層を破壊することが可能であり、同様の効果が得られる。
【００１４】
さらに、反射層に対し破壊作用を備えた電磁波は、染料層、誘電層または光記録層に対しても作用し、溶解、蒸発、相変化等の現象が起こり、データの破壊を行なうことができ、これら手段もすべて本発明の範囲内に属するものとする。
【００１５】
本発明の光ディスク記録データの破壊方法は、産業上の利用性及び進歩性を備え、且つ、本発明の新方法は他所に見られず新規性があるため、ここに特許申請を提出するものである。